(57)【要約】【課題】文書ファイルの原稿画像を編集した際に、その編集内容をコメント入りの原稿画像の印刷物とコメントなしの原稿画像の印刷物とに容易に反映させること。【解決手段】プリンタドライバ１１０による原稿画像の印刷時に、原稿画像に付加するコメント２０ｇの入力を行った場合に、入力したコメント２０ｇのデータファイルを、原稿画像に付加する位置を示す座標を識別子により関連付けて、原稿画像のデータファイルとは別に外部記憶装置２１に記憶させる。コメント２０ｇのデータファイルを外部記憶装置２１から読み出すと、識別子により関連付けられた原稿画像のプレビュー画像の画面上で、読み出したコメントが原稿画像の付加先の位置に付加される。そして、コメントを付加した原稿画像の印刷ジョブがインクジェット記録装置１に出力される。【選択図】図３
2014071634.tif 000002
【特許請求の範囲】
【請求項１】
原稿画像に基づいて生成した印刷ジョブを印刷装置に出力する印刷制御装置であって、
前記原稿画像のプレビュー画像を画面上に表示させるプレビュー手段と、
前記プレビュー画像の画面上で前記原稿画像に付加するコメントを入力するコメント入力手段と、
入力された前記コメントのデータのみを、前記原稿画像のデータに関連付けて、前記原稿画像データとは別に記憶する記憶手段と、
前記原稿画像の印刷ジョブの生成時に、前記コメントのデータを読み出し、該コメントを前記原稿画像に付加するコメント付加手段と、
を備えることを特徴とする印刷制御装置。
【発明の詳細な説明】
【技術分野】
【０００１】
本発明は、原稿画像に基づく印刷ジョブを印刷装置に出力する印刷制御装置に関する。
【背景技術】
【０００２】
アプリケーションソフトウェアを用いて作成した文書ファイルの文書を印刷して配布する場合に、説明者本人が使用する印刷物には説明用のコメントを文書中に記入しておきたいケースがある。そこで、アプリケーションソフトウェアで作成した文書ファイルの文書を印刷する際に、そのためにコンピュータ上で起動させたプリンタドライバの印刷プレビュー画面において、文書の指定した位置にコメントを入力できるようにする提案が行われている。この提案では、コメントの入力後に印刷出力を指示することで、入力したコメントを文書ファイルの文書の指定した位置に重畳して印刷することができる（例えば、特許文献１）。
【先行技術文献】
【特許文献】
【０００３】
【特許文献１】特開２００４−２０６５９７号公報
【発明の概要】
【発明が解決しようとする課題】
【０００４】
上述した特許文献１の発明では、印刷後にプリンタドライバが終了されると、入力したコメントの情報が保存されず消去されてしまう。そこで、後に再び同じコメントを同じ位置に挿入して文書ファイルの文書を印刷できるように、コメントの情報を保存しておくと便利である。そこで、説明者本人用のコメント入り文書ファイルと、配布用のコメントなし文書ファイルとをそれぞれ保存することが考えられる。
【０００５】
しかし、アプリケーションソフトウェアを起動して文書ファイルの文書の原稿画像を編集する場合には、その内容をコメント入りとコメントなしの両文書ファイルに反映させるために、それぞれの文書ファイルを開いて編集する必要があり、手数が掛かるという問題がある。
【０００６】
本発明は前記事情に鑑みなされたもので、本発明の目的は、文書ファイルの原稿画像を編集した際に、その編集内容をコメント入りの原稿画像の印刷物とコメントなしの原稿画像の印刷物とに容易に反映させることができる印刷制御装置を提供することにある。
【課題を解決するための手段】
【０００７】
前記目的を達成するため、請求項１に記載した本発明の印刷制御装置は、
原稿画像に基づいて生成した印刷ジョブを印刷装置に出力する印刷制御装置であって、
前記原稿画像のプレビュー画像を画面上に表示させるプレビュー手段と、
前記プレビュー画像の画面上で前記原稿画像に付加するコメントを入力するコメント入力手段と、
入力された前記コメントのデータのみを、前記原稿画像のデータに関連付けて、前記原稿画像データとは別に記憶する記憶手段と、
前記原稿画像の印刷ジョブの生成時に、前記コメントのデータを読み出し、該コメントを前記原稿画像に付加するコメント付加手段と、
を備えることを特徴とする。
【０００８】
これにより、原稿画像が編集されて原稿画像のデータが更新された場合であっても、印刷ジョブを生成する際、原稿画像のデータに関連付けられたコメントを読み出し、読み出したコメントを編集後の原稿画像の正しい位置に付加した印刷ジョブが生成される。また、仮に原稿画像のデータに対してページの挿入や削除をする変更をされても、原稿画像とコメントとの関連性を失うことなく、原稿画像の編集内容をコメント入りの原稿画像の印刷物とコメントなしの原稿画像の印刷物とに容易に反映させることができる。
【発明の効果】
【０００９】
本発明によれば、文書ファイルの文書等の原稿画像が編集された場合であっても、原稿画像とコメントのデータとの関連性を失うことなく、原稿画像の編集内容をコメント入りの原稿画像の印刷物とコメントなしの原稿画像の印刷物とに容易に反映させることができる。
【図面の簡単な説明】
【００１０】
【図１】本発明の一実施形態に係るプリンタネットワークシステムの概略構成を示すブロック図である。
【図２】図１のクライアント端末の出力部に表示される印刷設定画面の説明図である。
【図３】図１のクライアント端末の出力部に表示されるコメント入力詳細設定画面の説明図である。
【図４】図３のコメント入力詳細設定画面においてコメントを入力した状態を示す説明図である。
【図５】図１のクライアント端末の外部記憶装置に記憶されるコメントのデータファイルの内容を示す説明図である。
【図６】図１のＣＰＵ上に仮想的に構築されるプリンタドライバが実行する原稿画像へのコメントの付加に関する処理の手順を示すフローチャートである。
【図７】図１の外部記憶装置に記憶される原稿画像のデータファイルにおける属性データの概略内容を示す説明図である。
【発明を実施するための形態】
【００１１】
以下、本発明の実施形態について図面を参照しながら説明する。図１は、本発明の一実施形態に係るプリンタネットワークシステムの概略構成を示す説明図である。
【００１２】
（プリンタネットワークシステムの全体構成）
図１に示すように、本実施形態のプリンタネットワークシステムは、インクジェット記録装置１（請求項中の印刷装置に相当）とクライアント端末１４（請求項中の印刷制御装置に相当）とを有している。
【００１３】
インクジェット記録装置１は、ユーザ操作に基づく印刷指示にしたがってって印刷ジョブを印刷する印刷装置である。本実施形態のインクジェット記録装置１は、インクジェット方式のラインカラープリンタであるものとする。インクジェット記録装置１は、多数のノズルが形成されたインクヘッドを複数備え、それぞれのインクヘッドから黒又はカラーインクを吐出してライン単位で印刷を行い、搬送ベルト上の印刷用紙上に複数の画像を互いに重なり合うように形成する。
【００１４】
前記インクジェット記録装置１は、原稿上の画像情報を原稿画像として読み取って画像信号を出力するスキャナ部１０１と、スキャナ部１０１から出力された画像信号に基づいて印刷用紙（片面又は両面）に原稿画像を印刷（記録）するプリンタ部１０２と、全体制御用の制御ユニット１０とを備えている。プリンタ部１０２における原稿画像の印刷に使用する印刷用紙は、不図示の給紙部からプリンタ部１０２を介して不図示の排紙部に搬送される。
【００１５】
図１に示すように、制御ユニット１０の外部インターフェイス部１１には、ローカルエリアネットワークＬＡＮを介して、複数のクライアント端末１４の外部インターフェイス部１５（図１中では、代表して１つのクライアント端末１４についてのみ示している）がそれぞれ接続されている。各クライアント端末１４から制御ユニット１０は、原稿画像の印刷ジョブを受け取る。制御ユニット１０は、受け取った印刷ジョブにより原稿画像のラスタデータを生成する。インクジェット記録装置１は、印刷ジョブにおいて指定された条件で、原稿画像の印刷用紙への印刷をプリンタ部１０２において実行する。
【００１６】
また、制御ユニット１０にはディスプレイ８０が接続されている。このディスプレイ８０は、インクジェット記録装置１の上部に配置されている。このディスプレイ８０は、スキャナ部１０１にセットした原稿画像を複写印刷する際の、複写枚数や複写倍率といった複写条件をユーザが入力する入力操作部等として利用できる。
【００１７】
上述したプリンタ部１０２に印刷動作を行わせるインクジェット記録装置１の制御ユニット１０は、図１に示すように、ＣＰＵ９０を備える。このＣＰＵ９０は、ＲＯＭ９１に格納されているプログラム及び設定情報に基づいて、ディスプレイ８０から入力設定される内容に応じたスキャナ部１０１やプリンタ部１０２の動作を制御する。
【００１８】
なお、制御ユニット１０にはＲＡＭ９２が設けられており、ＲＡＭ９２には、クライアント端末１４から制御ユニット１０に入力された印刷ジョブや、ディスプレイ８０から入力されたコピー時の印刷枚数や各種の設定内容等が随時記憶される。
【００１９】
また、ＲＡＭ９２にはフレームメモリ領域が設けられている。このフレームメモリ領域には、クライアント端末１４から制御ユニット１０に入力された印刷ジョブによってＣＰＵ９０が生成する原稿画像のラスタデータが、プリンタ部１０２に出力されるまでの間、一時的に記憶される。
【００２０】
さらに、制御ユニット１０には外部記憶装置９３が設けられており、この外部記憶装置９３はＣＰＵ９０に接続されている。外部記憶装置９３には、上述したＲＡＭ９２から転送された印刷ジョブを記憶する複数の領域が設けられている。
【００２１】
一方、各クライアント端末１４は、ＰＣ（パーソナルコンピュータ）等によって構成されるものである。このクライアント端末１４は、ＲＯＭ１７に格納された制御プログラムに基づいて各種の処理を実行するＣＰＵ１６を有している。また、ＣＰＵ１６には、ワーキングエリアとして機能するＲＡＭ１８と、キーボードやマウス等から構成される入力部１９と、液晶ディスプレイ等から構成される出力部２０と、外部記憶装置２１と、ディスクドライブ２２とが接続されている。
【００２２】
外部記憶装置２１（請求項中の記憶手段に相当）には、文書、画像等を含む原稿画像の原稿データを生成するためのアプリケーションプログラムの格納領域や、インクジェット記録装置１のプリンタドライバプログラムの格納領域、その他各種アプリケーションプログラムの格納領域が確保されている。また、外部記憶装置２１には、アプリケーションプログラムを用いて生成された原稿データ（請求項中の原稿画像のデータに相当）を格納するデータベース領域も確保されている。
【００２３】
そして、本実施形態においては、外部記憶装置２１に記憶されたプリンタドライバプログラムが、アプリケーションプログラムを用いて生成された原稿データによる原稿画像にコメントを付加するためのプログラムを含んでいる。
【００２４】
ＣＰＵ１６は、プロセッサやメモリその他の周辺装置によって構成される演算装置であり、入力部１９から入力される起動要求にしたがって外部記憶装置２１のアプリケーションプログラムを起動させる。また、ＣＰＵ１６は、入力部１９からのパラメータ入力等により指示された原稿画像の原稿データを、起動されたアプリケーションプログラム上において生成する。生成された原稿データの原稿画像は出力部２０において表示出力され、また、入力部１９から保存要求が入力された場合には、外部記憶装置２１のデータベース領域に原稿データが記憶される。
【００２５】
外部記憶装置２１のデータベース領域に記憶された原稿データは、アプリケーションプログラムの起動中に入力部１９からの読み出し要求が入力された場合に、外部記憶装置２１から読み出される。読み出された原稿データの原稿画像（帳票の画像など）は、出力部２０に表示出力することができ、また、アプリケーションプログラム上において加工して新たな原稿データに生成しなおすこともできる。
【００２６】
そして、ＣＰＵ１６は、原稿アプリケーションプログラムや帳票作成のアプリケーションプログラム等で生成した原稿データを用いた原稿画像の印刷要求が入力された場合に、プリンタドライバプログラムをＣＰＵ１６上で実行させることでＣＰＵ１６上にプリンタドライバ１１０を仮想的に構築する。そして、プリンタドライバ１１０によってインクジェット記録装置１に印刷ジョブを出力させる。
【００２７】
プリンタドライバ１１０は、クライアント端末１４に接続されたインクジェット記録装置１を制御するために、クライアント端末１４上で実行されるデータ変換プログラムである。このプリンタドライバ１１０は、原稿アプリケーション等が生成した原稿画像の原稿データを取得し、所定の印刷設定情報にしたがって印刷データ（ＰＲＮデータ）を生成する。そして、生成した印刷ジョブを外部インターフェイス部１５から制御ユニット１０の外部インターフェイス部１１に出力する。
【００２８】
原稿データの印刷ジョブを生成してインクジェット記録装置１の制御ユニット１０に出力する際に、プリンタドライバ１１０は、出力部２０に表示される原稿画像の印刷設定画面上で、原稿画像へのコメントの付加を受け付ける。具体的には、図２に示すように、印刷設定画面２０ａのコメント入力選択欄において、コメントを付加する面を原稿画像の印刷物の表面とするか裏面とするかを、マウスによるチェックボックスのクリック操作で指定し、さらに、「詳細設定」のボタンをクリックする。
【００２９】
印刷設定画面２０ａでコメント付加面を裏面と指定した場合は、図３に示すように、出力部２０に表示されるコメント入力詳細設定画面２０ｂに、原稿画像の裏面のプレビュー画像２０ｃが表示される。なお、コメント入力詳細設定画面２０ｂにプレビュー画像２０ｃとして表示される原稿画像の頁は、コメント入力詳細設定画面２０ｂのページ移動ボタン２０ｄのクリックにより変更することができる。
【００３０】
なお、コメント入力詳細設定画面２０ｂの表面を見るボタン２０ｅをクリックすることで、プレビュー画像２０ｃとして表示されるコメント付加面を表面に切り替えることができる。また、表面の画像を使用するボタン２０ｆをクリックすることで、表面の原稿画像の縮小画像を、コメントと共に裏面に貼り付けることができる。
【００３１】
そして、プレビュー画像２０ｃでマウス等によりコメントの付加位置を指定し、キーボードの操作等によりコメントを入力することで、図４に示すように、プレビュー画像２０ｃ上にコメント２０ｇが表示される。この状態で、コメント入力詳細設定画面２０ｂのＯＫボタン２０ｈをマウスによりクリックすることで入力が確定し、コメント２０ｇを付加した原稿画像を印刷できる状態となる。
【００３２】
さらに、コメント入力詳細設定画面２０ｂ中のコメントの書き出しボタン２０ｉをクリックすることで、不図示のコメントファイル保存画面が出力部２０に表示され、保存先のディレクトリを指定することで、外部記憶装置２１にコメント２０ｇのデータファイルを保存することができる。
【００３３】
上述のようにして外部記憶装置２１に記憶されるコメント２０ｇのデータファイルは、原稿データ単位のＣＳＶデータであり、原稿画像に付加するコメント２０ｇの付加先のページ番号と、各コメント２０ｇを付加する位置の原稿画像上における座標と、付加するコメント２０ｇの内容とが、コメント２０ｇ毎にそれぞれ定義されている。
【００３４】
コメント２０ｇのデータファイルにおいては、各コメント２０ｇの原稿画像上における座標が、図５に示すように、原稿画像の左上を基点とした座標系における、コメント２０ｇを付加する領域の左上の座標値と、この座標値の位置を基準とし、この座標位置から右方向へのコメント２０ｇの幅分及び下方向への高さ分（左上Ｘ座標、左上Ｙ座標、幅Ｗ、高さＨ）とによって定義される。なお、コメント２０ｇを付加する領域の座標は、原稿画像上での任意の箇所を基準にした寸法（単位：ｍｍ）で定義してもよいし、画素位置を示す数値として定義してもよい。
【００３５】
以上のようにして外部記憶装置２１に記憶されたコメント２０ｇのデータファイルは、そのコメント２０ｇを付加した原稿画像を再び印刷する際に利用することができる。その際には、図３に示すコメント入力詳細設定画面２０ｂ中のコメントの読み込みボタン２０ｊをクリックし、出力部２０に表示される不図示のコメントファイル呼び出し画面においてデータファイルを指定する。これにより、指定したデータファイルで定義された位置にコメント２０ｇを配置した原稿画像のプレビュー画像２０ｃが、図４に示すように、コメント入力詳細設定画面２０ｂに表示される。
【００３６】
次に、プリンタドライバプログラムが含むプログラムをＣＰＵ１６上で実行させることでプリンタドライバ１１０が実行する、アプリケーションプログラムを用いて生成された原稿データによる原稿画像にコメントを付加するための処理の手順について、図６のフローチャートを参照して説明する。
【００３７】
まず、印刷する原稿画像の原稿データが指定され（ステップＳ１）、プリンタドライバ１１０が起動されると（ステップＳ３）、印刷設定画面２０ａにおいてコメント付加面が指定されたか否かを確認する（ステップＳ５）。指定されていない場合は（ステップＳ５でＮＯ）、後述するステップＳ１９に進む。指定された場合は（ステップＳ５でＹＥＳ）、コメント入力詳細設定画面２０ｂに印刷対象の原稿画像のプレビュー画像２０ｃを表示させる（ステップＳ７）。
【００３８】
そして、マウス及びキーボードの操作等によるコメント２０ｇの入力や、コメントの読み込みボタン２０ｊのクリックによる、外部記憶装置２１に記憶されたデータファイルのコメント２０ｇの読み込み要求に応じた、コメント２０ｇの編集操作を受け付けて（ステップＳ９）、コメントの書き出しボタン２０ｉの操作によりコメント２０ｇのデータファイルの保存が要求されたか否かを確認する（ステップＳ１１）。
【００３９】
要求されていない場合は（ステップＳ１１でＮＯ）、後述するステップＳ１９に進み、要求された場合は（ステップＳ１１でＹＥＳ）、プレビュー画像２０ｃ上で入力編集された各コメント２０ｇと各コメント２０ｇを付加する原稿画像の位置（頁の情報を含む）とに、互いに関連付けするための識別子を付与する（ステップＳ１３）。
【００４０】
ここで、コメント２０ｇとその付加位置とにそれぞれ付与される識別子は、互いの一部又は全てのケタを同一内容としてもよく、一方の識別子に符号を追加したものを他方の識別子としてもよい。即ち、それぞれの識別子は同一内容であってもよく、関連付けられていることを認識できる形式であれば、異なる内容であってもよい。
【００４１】
そして、コメント２０ｇのデータファイルを外部記憶装置２１に記憶させた後（ステップＳ１５）、ステップＳ１７に進む。なお、この際、原稿画像のデータファイルについても、属性データとして上述した識別子を追加して外部記憶装置２１に更新記憶させる。
【００４２】
なお、原稿画像のデータファイルの属性データは、例えば、特開２００５−１０８１０７号公報の図４に記載された中間ファイルのページ情報と同様のデータ構造を有する。このページ情報は、図７に示すように、ページＩＤと、原稿画像のコメント２０ｇを付加する位置の実データへのリンク情報とを含んでいる。ページＩＤは原稿画像の頁に対応しており、編集によって頁数が変わった場合は、それに応じた内容に更新される。実データのリンク情報は、コメント２０ｇを付加する位置の原稿画像が記憶された外部記憶装置２１のアドレスとすることができる。
【００４３】
属性データをこのようなデータ構造とし、ページＩＤに関連付けて原稿画像側の識別子を定義することで、編集により原稿画像の頁数等が変わっても、識別子に対応したコメントのデータの関連性が失われることがない。また、識別子に対応するページＩＤと組となった実データのリンク情報によって、識別子に対応する原稿画像の位置を常にコメント２０ｇを付加する位置に維持することができる。
【００４４】
ステップＳ１７では、印刷設定画面２０ａのＯＫボタン２０ｈのクリックにより、コメント２０ｇの編集終了が指示されたか否かを確認する。指示されていない場合は（ステップＳ１７でＮＯ）、ステップＳ１１にリターンし、指示された場合は（ステップＳ１７でＹＥＳ）、ステップＳ１９に進む。
【００４５】
ステップＳ１９では、印刷設定画面２０ａにおいて原稿画像の印刷のキャンセル操作が行われたか否かを確認する。キャンセル操作された場合は（ステップＳ１９でＹＥＳ）、ステップＳ５にリターンし、キャンセル操作されていない場合は（ステップＳ１９でＮＯ）、印刷設定画面２０ａにおいて原稿画像の印刷開始操作が行われたか否かを確認する（ステップＳ２１）。
【００４６】
印刷開始操作されていない場合は（ステップＳ２１でＮＯ）、ステップＳ５にリターンし、印刷開始操作された場合は（ステップＳ２１でＹＥＳ）、原稿画像の印刷ジョブを生成し出力させて（ステップＳ２３）、一連の手順を終了する。このとき、コメント入力詳細設定画面２０ｂのプレビュー画像２０ｃ上でコメント２０ｇが入力されていた場合は、コメント２０ｇを付加した原稿画像の印刷ジョブがインクジェット記録装置１に出力されることになる。
【００４７】
このように、本実施形態のクライアント端末１４では、プリンタドライバ１１０による原稿画像の印刷時に、原稿画像に付加するコメント２０ｇの入力を行えるようにしている。そして、入力したコメント２０ｇのデータファイルを、原稿画像の付加する位置と識別子により関連付けて、原稿画像のデータファイルとは別に外部記憶装置２１に記憶させる。
【００４８】
このため、コメント２０ｇのデータファイルを外部記憶装置２１から読み出すと、識別子により関連付けられた原稿画像のプレビュー画像の画面上で、読み出したコメントが原稿画像の付加先の位置に付加される。そして、コメントを付加した原稿画像の印刷ジョブがインクジェット記録装置１に出力される。
【００４９】
したがって、原稿画像のデータに基づいた印刷ジョブの生成と、コメント２０ｇを付加した原稿画像のデータに基づいた印刷ジョブの生成とを両方行うことができる。また、原稿画像が編集されて原稿画像のデータが更新された場合に、コメント２０ｇを付加した原稿画像の印刷ジョブにもその編集が反映される。このため、原稿画像を編集した際に、その編集内容をコメント２０ｇ入りの原稿画像の印刷物とコメント２０ｇなしの原稿画像の印刷物とに容易に反映させることができる。
【００５０】
また、本実施形態のクライアント端末１４では、図７に示す原稿画像の属性データにおける、原稿画像の各ページの実データに対するリンク情報と組にしたページＩＤに関連付けた識別子を、そのページの原稿画像に付加するコメントのデータに付与するようにした。このため、編集により原稿画像の頁数等が変わっても、識別子に対応したコメントのデータの関連性が失われることがない。即ち、、識別子に対応するページＩＤと組となった実データのリンク情報によって、識別子に対応する原稿画像の位置を常にコメント２０ｇを付加する位置に維持することができる。
【００５１】
なお、原稿画像の編集によってもコメント２０ｇを付加する位置が変わらない場合は、コメント２０ｇのデータファイルを原稿画像に対応付けて、そのデータファイル中で、各コメント２０ｇを付加する原稿画像の位置を定義することで、コメント２０ｇとこれを付加する原稿画像の位置とに対する識別子の付与を省略してもよい。
【００５２】
また、原稿画像のデータファイルにその編集履歴データを持たせるようにして、コメント入力詳細設定画面２０ｂに原稿画像のプレビュー画像２０ｃを表示させる際に、編集された部分を網掛け等により強調表示させるようにしてもよい。また、編集履歴データにより原稿画像のある頁が削除されたことをプリンタドライバ１１０で認識できる場合に、削除された頁に付加するコメント２０ｇをデータファイルから削除できるようにしてもよい。
【００５３】
さらに、上述した実施形態では、印刷装置としてインクジェット記録装置を用いた場合を例に取って説明した。しかし、本発明はインクジェット方式に限らず、電子写真方式や孔版印刷方式等のインクジェット方式以外の方式によるプリンタを印刷装置とする場合にも、広く適用することができる。
【符号の説明】
【００５４】
１  インクジェット記録装置
１０  制御ユニット
１１  外部インターフェイス部
１４  クライアント端末
１５  外部インターフェイス部
１６  ＣＰＵ
１７  ＲＯＭ
１８  ＲＡＭ
１９  入力部
２０  出力部
２０ａ  印刷設定画面
２０ｂ  コメント入力詳細設定画面
２０ｃ  プレビュー画像
２０ｄ  ページ移動ボタン
２０ｅ  表面を見るボタン
２０ｆ  表面の画像を使用するボタン
２０ｇ  コメント
２０ｈ  ＯＫボタン
２０ｉ  コメントの書き出しボタン
２０ｊ  コメントの読み込みボタン
２１  外部記憶装置
２２  ディスクドライブ
５０  ディスク状記録媒体
８０  ディスプレイ
９０  ＣＰＵ
９１  ＲＯＭ
９２  ＲＡＭ
９３  外部記憶装置
１０１  スキャナ部
１０２  プリンタ部
１１０  プリンタドライバ
ＬＡＮ  ローカルエリアネットワーク
【図１】
2014071634.tif 000003
【図２】
2014071634.tif 000004
【図３】
2014071634.tif 000005
【図４】
2014071634.tif 000006
【図５】
2014071634.tif 000007
【図６】
2014071634.tif 000008
【図７】
2014071634.tif 000009